(57)【要約】【課題】インターホン親機で通話する住人の音声がドアホン子器やロビーインターホンに届いているか否かを確認可能とする。【解決手段】マイクロホン１及びスピーカ２と、マイクロホン１で集音した送話信号とドアホン子器５０あるいはロビーインターホン６０から送られてくる受話信号のレベルを比較し相対的に低いレベルの信号経路に損失を挿入することで送話状態と受話状態を切り換える音声スイッチと、音声スイッチを経由した送話信号のレベルを検出する送話信号レベル検出回路１５と、送話信号レベル検出回路１５の出力で点滅される送話確認表示灯１６とをインターホン親機Ａに備える。したがって、インターホン親機Ａで通話する住人の音声がドアホン子器５０あるいはロビーインターホン６０に届いているか否かを送話確認表示灯１６の表示によって確認することができる。【選択図】　　　　図１
2004064249.tif 000002
【特許請求の範囲】
【請求項１】
宅外に設置されるドアホン子器と、宅内に設置されるインターホン親機とで構成され、ドアホン子器からの呼出に応じてインターホン親機とドアホン子器との間に通話路が形成され、当該通話路を通してインターホン親機とドアホン子器との間で通話するインターホンシステムにおいて、マイクロホン及びスピーカと、マイクロホンで集音した送話信号と前記通話路を通してドアホン子器から送られてくる受話信号のレベルを比較し相対的に低いレベルの信号経路に損失を挿入することで送話状態と受話状態を切り換える音声切換手段と、音声切換手段を経由した送話信号のレベルを検出して表示する送話信号レベル確認手段とをインターホン親機に備えたことを特徴とするインターホンシステム。
【請求項２】
集合住宅の共同玄関に設置され、インターホン親機との間に適宜形成される通話路を通してインターホン親機と通話するロビーインターホンを有し、前記音声切換手段は、マイクロホンで集音した送話信号と前記通話路を通してロビーインターホンから送られてくる受話信号のレベルを比較し相対的に低いレベルの信号経路に損失を挿入することで送話状態と受話状態を切り換えることを特徴とする請求項１記載のインターホンシステム。
【発明の詳細な説明】
【０００１】
【発明の属する技術分野】
本発明は、戸建て住宅や集合住宅において宅内の家人と宅外の訪問者との間で通話するためのインターホンシステムに関するものである。
【０００２】
【従来の技術】
近年、マンションなどの集合住宅では、集合住宅の共同玄関に設置されるロビーインターホンと、管理人室や防災監視室などに設置される警報監視盤と、各住戸内に設置されるインターホン親機（あるいは「住宅情報盤」とも呼ばれる）と、各住戸の戸外（玄関先）に設置されるドアホン子器とを備え、各住戸と管理人室、更に、管理人室の警報監視盤に接続されたロビーインターホンの間で通話を可能としたインターホンシステムが利用されている。また、このようなインターホンシステムにおいては、各住戸のインターホン親機に接続された火災感知器やガス漏れ検知器などの各種安全装置が作動した場合には、そのことを音声や表示灯などで住人に知らせるとともに、警報監視盤に通知するようになっている。
【０００３】
図５は従来のインターホンシステム（あるいは、「住宅情報盤システム」とも呼ばれる）の構成例を示しており、管理人室に設置された警報監視盤８０、映像制御盤９０は、それぞれ多重伝送線（及び通話線、映像線）Ｌｓを介して、各住戸のインターホン親機１００に接続されている。図示例では、ロビーインターホン６０並びにドアホン子器５０が具備するテレビカメラで撮像した映像を表示するためにインターホン親機１００はモニタを備えており、来訪者を撮像した映像が映像制御盤９０から多重伝送線Ｌｓを介して各住戸のインターホン親機１００に伝送されてモニタに表示されるようになっている。
【０００４】
インターホン親機１００には、火災感知器Ｓ１、ガス／ＣＯ複合センサＳ２、防犯外部セットスイッチＳＷ（補助錠）、防犯スイッチＳＷ１、非常スイッチＳＷ２等の各種安全装置が接続されており、火災感知器Ｓ１の発報信号やガス／ＣＯ複合センサＳ２からのガス漏れ信号並びにＣＯ（一酸化炭素）警報信号を受けるとインターホン親機１００の表示灯や音声によって住人にその旨を通知し、上記スイッチが作動又は操作されたときにはインターホン親機１００の表示灯を点灯あるいは点滅させ、音声警報を出力させたり、戸外に設置された警報表示灯（図示せず）やドアホン子器５０が具備する表示灯を点灯あるいは点滅させるとともに警報監視盤８０にそれらの作動を通知するようになっている。
【０００５】
警報監視盤８０は、何れかの住戸のインターホン親機１００から火災やガス漏れ等の異常を検知した信号を受信すると、各住戸に対応した表示灯を点灯あるいは点滅させ、音声による警報メッセージを出力させるとともに、多重伝送線Ｌｓを通じて当該住戸のインターホン親機１００を呼び出し、この呼出（緊急呼出）に応じてインターホン親機１００で応答した住人と通話することでそのときの状況を聞き出して、適切な対応を指示したり、救急車の手配などを行うことができるようになっている。また、共同玄関（ロビー）に設置されたロビーインターホン６０が警報監視盤８０に接続されており、警報監視盤８０を介して各住戸のインターホン親機１００とロビーインターホン６０との間で通話ができるようになっている。さらに、警報監視盤８０には共同玄関の出入り口に設置されている自動ドア１１０の電気錠の施錠／解錠を制御する電気錠制御盤１１１が接続されており、ロビーインターホン６０から呼び出された住戸の住人がインターホン親機１００に設けられた解錠釦を操作したときに、警報監視盤８０が多重伝送線Ｌｓを介してインターホン親機１００から解錠釦が操作されたことを知らせる伝送信号を受信し、電気錠制御盤１１１に解錠指令を与えて電気錠を解錠させるようになっている。
【０００６】
【発明が解決しようとする課題】
ところで、上記従来システムにおけるインターホン親機１００では、ハンドセットの代わりにマイクロホンとスピーカを利用して拡声通話（ハンズフリー通話）を行っているが、かかる拡声通話を行うに当たっては、インターホン親機１００のマイクロホンとスピーカ、あるいはドアホン子器５０やロビーインターホン６０のマイクロホンとスピーカの音響結合等によって生じるエコーやハウリングを抑制する必要がある。そのために上記インターホン親機１００には、マイクロホンで集音した送話信号とドアホン子器５０やロビーインターホン６０から送られてくる受話信号のレベルを比較し、相対的に低いレベルの信号の信号経路に損失を挿入することで送話状態と受話状態を切り換える、所謂音声スイッチが設けられている。
【０００７】
ところが、ドアホン子器５０やロビーインターホン６０が設置されている宅外の周囲騒音レベルが宅内の周囲騒音レベルに比較して極端に大きい場合、音声スイッチが受話状態に切り換えられたままとなってしまう現象（これを「音声スイッチの片倒れ」と呼ぶ）が生じ、インターホン親機１００のマイクロホンに向かって喋っても音声スイッチが送話状態に切り換わらないためにドアホン子器５０やロビーインターホン６０に送話音声が届かず、通話相手の音声（受話音声）がスピーカから聞こえるだけの片方向の通話になることがあった。しかも、インターホン親機１００で通話している住人には、音声スイッチの片倒れが生じて自分の音声が通話相手（ドアホン子器５０やロビーインターホン６０で通話している相手）に届いているか否かを確認することができなかった。
【０００８】
本発明は上記事情に鑑みて為されたものであり、その目的は、インターホン親機で通話する住人の音声がドアホン子器やロビーインターホンに届いているか否かを確認することができるインターホンシステムを提供することにある。
【０００９】
【課題を解決するための手段】
請求項１の発明は、上記目的を達成するために、宅外に設置されるドアホン子器と、宅内に設置されるインターホン親機とで構成され、ドアホン子器からの呼出に応じてインターホン親機とドアホン子器との間に通話路が形成され、当該通話路を通してインターホン親機とドアホン子器との間で通話するインターホンシステムにおいて、マイクロホン及びスピーカと、マイクロホンで集音した送話信号と前記通話路を通してドアホン子器から送られてくる受話信号のレベルを比較し相対的に低いレベルの信号経路に損失を挿入することで送話状態と受話状態を切り換える音声切換手段と、音声切換手段を経由した送話信号のレベルを検出して表示する送話信号レベル確認手段とをインターホン親機に備えたことを特徴とする。
【００１０】
請求項２の発明は、請求項１の発明において、集合住宅の共同玄関に設置され、インターホン親機との間に適宜形成される通話路を通してインターホン親機と通話するロビーインターホンを有し、前記音声切換手段は、マイクロホンで集音した送話信号と前記通話路を通してロビーインターホンから送られてくる受話信号のレベルを比較し相対的に低いレベルの信号経路に損失を挿入することで送話状態と受話状態を切り換えることを特徴とする。
【００１１】
【発明の実施の形態】
以下、図面を参照して本発明の実施形態を詳細に説明する。なお、本実施形態では、従来例と同様にセキュリティ機能を持つ住宅情報盤システムを例示するが、セキュリティ機能を持たないインターホンシステムにも本発明の技術思想が適用可能であることは言うまでもない。
【００１２】
本実施形態のインターホンシステム（住宅情報盤システム）は基本的に従来例として説明した住宅情報盤システムと共通の構成を有しており、インターホン親機（住宅情報盤）Ａを除くドアホン子器５０やロビーインターホン６０等については図示並びに説明を省略し、本発明の特徴となるインターホン親機Ａについて詳細に説明する。
【００１３】
図１は本実施形態におけるインターホン親機Ａの回路ブロックを示している。拡声通話を行うためのマイクロホン１とスピーカ２を具備し、これらはアナログ信号とデジタル信号を相互に変換するコーデック３のアナログ側の入出力端子に接続されている。そして、コーデック３のデジタル側の入出力端子にはＤＳＰ（デジタル・シグナル・プロセッサ）からなる音声処理回路４が接続されている。この音声処理回路４は、専用のプログラムをＤＳＰで実行することにより、従来例で説明した音声スイッチの機能を実現すると同時に、各種の音声メッセージや呼出音等を作成して出力する機能等を実現している。また、音声処理回路４の動作はマイクロコンピュータからなる制御回路５によって制御される。この制御回路５も音声処理回路４と同様にメモリ６に格納されている専用のプログラムを実行することで各種の処理を行っている。さらに、従来例で説明した火災感知器Ｓ１、ガス／ＣＯ複合センサＳ２、防犯スイッチＳＷ１、非常スイッチＳＷ２等の各種安全装置から送信される信号をそれぞれ受信するために複数種の受信回路７Ａ〜７Ｅを備えており、これらの受信回路７Ａ〜７Ｅで受信した信号がそれぞれ制御回路５に取り込まれる。制御回路５では、例えば火災感知器Ｓ１の発報信号を受信したときに音声処理回路４を制御して火災発生を住人に通知するための音声メッセージや警報音をスピーカ２から出力させる。なお、このような警報音や呼出音あるいはバックトーン等の通話音声以外の音はＤＡコンバータ１１によりデジタルからアナログに変換されてスピーカ２やドアホン子器５０あるいはロビーインターホン６０に出力される。
【００１４】
また、インターホン親機Ａと警報監視盤８０との間でロビーインターホン６０からの呼出やインターホン親機Ａによる電気錠の解除指令等を伝送する伝送信号送受信回路８が設けてある。各住戸のインターホン親機Ａには部屋番号に対応する固有アドレスが割り当てられており、警報監視盤８０はこれらの固有アドレスによって個々のインターホン親機Ａを識別している。なお、このように警報監視盤８０と複数のインターホン親機Ａとの間で伝送信号を送受信するための構成やその手順等については従来周知であるから詳しい説明を省略する。
【００１５】
さらに、インターホン親機Ａにはドアホン子器５０あるいはロビーインターホンが具備するテレビカメラで撮像した映像を表示するためにＣＲＴ９ａ及びテレビ映像回路９ｂからなるモニタ９を備えている。ドアホン子器５０あるいはロビーインターホン６０から送られてくる映像信号は復調回路１０によって復調された後にテレビ映像回路９ｂに入力され、テレビ映像回路９ｂによってＣＲＴ９ａの画面に映像が表示される。
【００１６】
また、インターホン親機Ａにはドアホン子器５０と通話するための通話線を接続する通話線接続端子Ｔ１，Ｔ２と、ロビーインターホン６０等と通話するための通話線（これを「幹線」と呼ぶ）を接続する幹線接続端子Ｔ３，Ｔ４とが設けてある。一方の通話線接続端子Ｔ２はグランドに接続され、他方の通話線接続端子Ｔ１は、制御回路５によって切り換えられる切換接点Ｓａを介してＤＡコンバータ１１の２つの出力ラインＬ１，Ｌ２に接続されている。出力ラインＬ１はスピーカ２に警報音や呼出音を送出し、出力ラインＬ２はドアホン子器５０やロビーインターホン６０にバックトーンを送出するものである。なお、出力ラインＬ２にはドアホン子器５０からの呼出を検知する呼出検知回路１２が接続されている。
【００１７】
一方、片方の幹線接続端子Ｔ４は常開接点Ｓｂ２を介してグランドに接続され、もう片方の幹線接続端子Ｔ３は常開接点Ｓｂ１を介してＤＡコンバータ１１の出力ラインＬ２に接続されている。なお、これら２つの常開接点Ｓｂ１，Ｓｂ２は制御回路５によって連動して開閉される。
【００１８】
ここで、切換接点Ｓａの出力ラインＬ２に接続された端子と、一方の幹線接続端子Ｔ３とは切換接点Ｓｃ等を介してコーデック３に接続されている。この切換接点Ｓｃの共通端子が出力トランスＴの一方の巻線ｎ１に接続され、この巻線ｎ１のタップにアッテネータ１３を介してコーデック３の受話信号入力端が接続されている。また、出力トランスＴの他方の巻線ｎ２にはラインアンプ１４が接続され、このラインアンプ１４の入力端が送話信号レベル検出回路１５を介してコーデック３の送話信号出力端に接続されている。
【００１９】
送話信号レベル検出回路１５はマイクロホン１で集音されて通話相手（ドアホン子器５０又はロビーインターホン６０）に送信される送話音声（送話信号）の信号レベルを検出し、検出した信号レベルに応じた信号を出力するものである。ここで、送話信号レベル検出回路１５の出力端にはエミッタ接地されたトランジスタＱのベースが接続され、トランジスタＱのコレクタにはプルアップ抵抗を介して発光ダイオードからなる送話確認表示灯１６が接続されている。すなわち、送話信号レベル検出回路１５の出力でトランジスタＱがオン・オフすることにより、送話確認表示灯１６が点滅することになる。
【００２０】
なお、これ以外の回路構成については本発明の要旨に直接関係がなく、且つ従来周知の構成でもあるので説明は省略する。
【００２１】
インターホン親機Ａの器体３０は合成樹脂製であって、図２及び図３に示すように前面が開口する矩形箱形のボディ３０ａと、後面が開口する矩形箱形のカバー３０ｂとからなり、ボディ３０ａの前面にカバー３０ｂを被着して構成される。ボディ３０ａの内部底面には上述の回路の一部を構成するＩＣや電子部品等を実装したプリント配線板３１が固定され、ボディ３０ａの下側面にはスピーカ２が配設されている。なお、スピーカ２と対向するボディ３０ａの下側壁にはスピーカ２の音を器体３０の外に出すために多数の貫通孔３２が貫設されている（図２（ｂ）参照）。
【００２２】
一方、カバー３０ｂの内側にはＣＲＴ９ａと、テレビ映像回路９ｂ等の上述の回路の残りの部分を構成するＩＣや電子部品等を実装したプリント配線板３３とが収納され、２つのプリント配線板３１，３３がハーネスケーブル３４によって接続される（図３参照）。また、カバー３０ｂの前面上部にはＣＲＴ９ａの画面を視認可能とする窓孔３０ｃ及び透明カバー３０ｄが設けてある。さらに、カバー３０ｂの下部中央にはドアホン子器５０やロビーインターホン６０からの呼出に応答して通話を開始する際に操作される通話釦３５が配設されている。なお、これ以外にもカバー３０ｂの前面には電気錠を解錠する際に操作される解錠釦３６ａ、防犯スイッチの有効／無効を切り換える際に操作される防犯釦３６ｂ、警報監視盤８０に非常通報を行うための非常釦３６ｃ等が配設されている。ここで、カバー３０ｂ前面の通話釦３５の上端近傍には送話確認表示灯１６の光を器体３０の外へ照射するための照射窓３７が設けてあり、この照射窓３７を通して照射される光で送話信号確認表示灯１６の点滅が視認可能となっている。
【００２３】
而して、ボディ３０ａを壁面に取り付け、２つのプリント配線板３１，３３をハーネスケーブル３４で接続した後にボディ３０ａの前面にカバー３０ｂを被着することでインターホン親機Ａが壁に施工される。
【００２４】
次に、インターホン親機Ａがドアホン子器５０又はロビーインターホン６０との間で通話する際の動作を簡単に説明する。ドアホン子器５０あるいはロビーインターホン６０の何れからも呼出を受けていない通常時においては、インターホン親機Ａの切換接点Ｓａ，Ｓｃ並びに常開接点Ｓｂ１，Ｓｂ２は図１に示す状態（これを「定常状態」と呼ぶ）となっている。この定常状態においてドアホン子器５０から呼出があると、呼出検知回路１２が呼出を検知して制御回路５に呼出検知信号を出力する。呼出検知信号を受けた制御回路５は音声処理回路４を制御してスピーカ２から呼出音を出力させる。この呼出音を聞いた住人が通話釦３５を押操作すると制御回路５に通話開始信号が入力される。制御回路５は、通話開始信号の入力により音声処理回路４における音声スイッチ等の通話に関する処理を行う機能を起動してドアホン子器５０との通話に備える。そして、音声処理回路４の音声スイッチがマイクロホン１で集音されコーデック３を介して入力される送話信号と、ドアホン子器５０から送信され、切換端子Ｓａ，Ｓｃから出力トランスＴ、アッテネータ１３及びコーデック３を介して入力される受話信号とのレベルを比較し、相対的に低いレベルの信号の信号経路に損失を挿入し、送話状態と受話状態を切り換えることでインターホン親機Ａとドアホン子器５０との間で双方向の拡声通話が行われる。
【００２５】
一方、定常状態においてロビーインターホン６０の呼出操作（住居番号の入力操作）が行われると、警報監視盤８０が呼び出された住居番号の住居に設置されているインターホン親機Ａに対して伝送信号によりロビーインターホン６０からの呼出を通知する。この呼出通知を受信したインターホン親機Ａでは、制御回路５が音声処理回路４を制御してスピーカ２から呼出音を出力させる。この呼出音を聞いた住人が通話釦３５を押操作すると制御回路５に通話開始信号が入力される。制御回路５は、通話開始信号の入力により音声処理回路４における音声スイッチ等の通話に関する処理を行う機能を起動するとともに、切換接点Ｓｃを切り換えて幹線接続端子Ｔ３と出力トランスＴを接続することにより、ドアホン子器５０との通話路を切断し且つロビーインターホン６０との通話路を形成する。そして、音声処理回路４の音声スイッチがマイクロホン１で集音されコーデック３を介して入力される送話信号と、ロビーインターホン６０から送信され、切換端子Ｓｃから出力トランスＴ、アッテネータ１３及びコーデック３を介して入力される受話信号とのレベルを比較し、相対的に低いレベルの信号の信号経路に損失を挿入し、送話状態と受話状態を切り換えることでインターホン親機Ａとロビーインターホン６０との間で双方向の拡声通話が行われる。
【００２６】
ここで、図４のタイミングチャートを参照して本発明の要旨となる点について説明する。同図（ａ）は宅外の周囲騒音レベル、同図（ｂ）は送話信号レベル、同図（ｃ）は受話信号レベル、同図（ｄ）は送話確認表示灯１６の点滅状態をそれぞれ示している。例えば、ドアホン子器５０あるいはロビーインターホン６０で来訪者が喋っているとき（同図における時刻ｔ０まで）、受話信号のレベルが送話信号のレベルよりも相対的に高くなるから音声スイッチが受話状態に切り換えられて音声処理回路４からコーデック３を介してアナログの受話信号がスピーカ２に出力される。このとき、送話信号レベル検出回路１５で検出する送話信号のレベルは非常に低くしきい値を越えていないため、トランジスタＱがオフとなり、送話確認表示灯１６が消灯する。一方、インターホン親機Ａで住人が喋っているとき（時刻ｔ０〜ｔ１）には、送話信号のレベルが受話信号のレベルよりも相対的に高くなり、音声スイッチが送話状態に切り換えられて音声処理回路４からコーデック３を介してアナログの送話信号がラインアンプ１４に出力される。このとき、送話信号レベル検出回路１５で検出する送話信号のレベルがしきい値を越えているために送話信号レベル検出回路１５の出力でトランジスタＱがオンとなり、送話確認表示灯１６が点灯する。
【００２７】
ところで、繁華街の近くや交通量の多い道路に面して建てられた集合住宅の場合、ロビーインターホン６０のマイクロホンで集音される周囲騒音のレベルが非常に高くなる可能性がある。あるいは、集合住宅の高層階では低層階に比較して風が強い傾向にあるから、高層階の住戸玄関に設置されているドアホン子器５０ではマイクロホンの風切り音がかなり大きくなる可能性がある。そして、図４（ａ）に示すように周囲騒音（風切り音を含む）のレベルが所定値（例えば、７５ｄＢ）を越えると周囲騒音によってインターホン親機Ａにおける受話信号レベルが常時高い状態となり、従来技術で説明したように音声処理回路４の音声スイッチが受話状態の方へ片倒れしてしまう。例えば、時刻ｔ２で周囲騒音レベルが上記しきい値を越えて音声スイッチが受話状態に片倒れしたとすると、仮に時刻ｔ３で住人がインターホン親機Ａのマイクロホン１に向かって喋ったとしても、音声処理回路４において送話信号の信号経路に損失が挿入されているため、送話信号のレベルが非常に低くなり、実質的に住人の喋った声（送話音声）はドアホン子器５０あるいはロビーインターホン６０には届かないことになる。このとき、上述のように送話信号レベル検出回路１５で検出する送話信号のレベルがしきい値を越えないから送話確認表示灯１６が点灯せず、インターホン親機Ａで通話する住人の音声がドアホン子器５０あるいはロビーインターホン６０に届いていないことを送話確認表示灯１６の表示（消灯）によって確認することができる。そして、ドアホン子器５０あるいはロビーインターホン６０に音声が届いていないことを確認した住人は、もっと大きな声で喋るとか、マイクロホン１に顔を近づけて喋るといった対処をとると（図４における時刻ｔ４）、マイクロホン１から音声処理回路４に入力する送話信号のレベルが上昇して音声スイッチの片倒れが解消し、受話状態から送話状態に切り換わって送話信号がドアホン子器５０あるいはロビーインターホン６０に届くようになる。このときには送話確認表示灯１６が点灯して送話信号がドアホン子器５０あるいはロビーインターホン６０に届いたことを確認できる。
【００２８】
ところで、ドアホン子器５０あるいはロビーインターホン６０との通話中にインターホン親機Ａの通話釦３５が押操作されて通話開始信号が制御回路５に入力された場合に、制御回路５が音声処理回路４を制御して音声スイッチを強制的に送話状態に切り換えるようにすれば、上述のように大きな声で喋るとかマイクロホン１に顔を近づけて喋るといった対処をとる代わりに、通話釦３５を押操作することで送話音声が確実にドアホン子器５０あるいはロビーインターホン６０に届くようにすることができて望ましいものである。
【００２９】
【発明の効果】
請求項１の発明は、宅外に設置されるドアホン子器と、宅内に設置されるインターホン親機とで構成され、ドアホン子器からの呼出に応じてインターホン親機とドアホン子器との間に通話路が形成され、当該通話路を通してインターホン親機とドアホン子器との間で通話するインターホンシステムにおいて、マイクロホン及びスピーカと、マイクロホンで集音した送話信号と前記通話路を通してドアホン子器から送られてくる受話信号のレベルを比較し相対的に低いレベルの信号経路に損失を挿入することで送話状態と受話状態を切り換える音声切換手段と、音声切換手段を経由した送話信号のレベルを検出して表示する送話信号レベル確認手段とをインターホン親機に備えたことを特徴とし、送話信号レベル確認手段により送話信号のレベルを検出して表示しているから、インターホン親機で通話する住人の音声がドアホン子器に届いているか否かを送話信号レベル確認手段の表示によって確認することができる。その結果、ドアホン子器に音声が届いていないことを確認した住人はもっと大きな声で喋るとか、マイクロホンに顔を近づけて喋るといった対処をとることができる。
【００３０】
請求項２の発明は、請求項１の発明において、集合住宅の共同玄関に設置され、インターホン親機との間に適宜形成される通話路を通してインターホン親機と通話するロビーインターホンを有し、前記音声切換手段は、マイクロホンで集音した送話信号と前記通話路を通してロビーインターホンから送られてくる受話信号のレベルを比較し相対的に低いレベルの信号経路に損失を挿入することで送話状態と受話状態を切り換えることを特徴とし、インターホン親機で通話する住人の音声がロビーインターホンに届いているか否かを送話信号レベル確認手段の表示によって確認することができ、ロビーインターホンに音声が届いていないことを確認した住人はもっと大きな声で喋るとか、マイクロホンに顔を近づけて喋るといった対処をとることができる。
【図面の簡単な説明】
【図１】実施形態におけるインターホン親機の回路ブロック図である。
【図２】同上におけるインターホン親機を示し、（ａ）は正面図、（ｂ）は下面図、（ｃ）は断面図である。
【図３】同上におけるインターホン親機の施工作業を説明する説明図である。
【図４】同上の動作説明用のタイムチャートである。
【図５】従来のインターホンシステムのシステム構成図である。
【符号の説明】
Ａ　インターホン親機
１　マイクロホン
２　スピーカ
４　音声処理回路
５　制御回路
１５　送話信号レベル検出回路
１６　送話確認表示灯
【図１】
2004064249.tif 000003
【図２】
2004064249.tif 000004
【図３】
2004064249.tif 000005
【図４】
2004064249.tif 000006
【図５】
2004064249.tif 000007